(57)【要約】【課題】各携帯端末に格納されているコンテンツ情報に対する動作状態を車内のユーザに把握させることが可能な情報提供システムを提供する。【解決手段】  車載機（10-1）は、車載機（10-1）と接続している携帯端末（30-1〜30-8）を管理するデータベース（100）と、そのデータベース（100）で管理している携帯端末（30-1〜30-8）に格納されているコンテンツ情報を制御するコンテンツ制御部（112）と、コンテンツ制御部（112）が制御したコンテンツ情報に対する動作状態を携帯端末（30-1〜30-8）に対応付けてデータベース（100）で管理するデータ管理部（111）と、コンテンツ情報に対する動作状態を、そのコンテンツ情報を格納している携帯端末（30-1〜30-8）に出力する出力制御部（113）と、コンテンツ情報に対する動作状態を携帯端末（30-1〜30-8）毎に表示部（12）に表示する表示制御部（114）と、を有して構成する。【選択図】図３
2012065141.tif 000002
【特許請求の範囲】
【請求項１】
車載機と接続している携帯端末を管理するデータベースと、
前記データベースで管理している前記携帯端末に格納されているコンテンツ情報を制御するコンテンツ制御手段と、
前記コンテンツ制御手段が制御した前記コンテンツ情報に対する動作状態を前記携帯端末に対応付けて前記データベースで管理するデータ管理手段と、
前記コンテンツ情報に対する動作状態を、前記コンテンツ情報を格納している前記携帯端末に出力する出力制御手段と、
前記コンテンツ情報に対する動作状態を前記携帯端末毎に表示手段に表示する表示制御手段と、
を備えることを特徴とする車載機。
【請求項２】
前記コンテンツ情報に対する動作状態には、前記コンテンツ制御手段が前記コンテンツ情報を出力した出力先の情報が含まれており、
前記出力制御手段は、前記出力先の情報を、前記携帯端末に出力することを特徴とする請求項１記載の車載機。
【請求項３】
前記表示制御手段は、
前記コンテンツ情報に対する動作状態を前記携帯端末毎にユーザに視覚的に認識できる表示形式で前記表示手段に表示することを特徴とする請求項１または２記載の車載機。
【請求項４】
携帯端末と車載機との接続を中継する中継機であって、
前記携帯端末と前記車載機との間の接続を制御する接続制御手段と、
前記接続制御手段により前記車載機と接続した前記携帯端末に格納されているコンテンツ情報に対する動作状態を前記携帯端末に対応する表示手段に表示する表示制御手段と、
を備えることを特徴とする中継機。
【請求項５】
車載機と、携帯端末と、を少なくとも有して構成する情報提供システムであって、
前記車載機は、
前記車載機と接続している携帯端末を管理するデータベースと、
前記データベースで管理している前記携帯端末に格納されているコンテンツ情報を制御するコンテンツ制御手段と、
前記コンテンツ制御手段が制御した前記コンテンツ情報に対する動作状態を前記携帯端末に対応付けて前記データベースで管理するデータ管理手段と、
前記コンテンツ情報に対する動作状態を、前記コンテンツ情報を格納している前記携帯端末に出力する出力制御手段と、
前記コンテンツ情報に対する動作状態を前記携帯端末毎に表示手段に表示する表示制御手段と、
を備え、
前記携帯端末は、
前記コンテンツ情報に対する動作状態を表示する表示手段を備えることを特徴とする情報提供システム。
【請求項６】
車載機と接続している携帯端末を管理するデータベースを有する車載機で行う制御方法であって、
前記データベースで管理している前記携帯端末に格納されているコンテンツ情報を制御するコンテンツ制御工程と、
前記コンテンツ制御工程により制御した前記コンテンツ情報に対する動作状態を前記携帯端末に対応付けて前記データベースで管理するデータ管理工程と、
前記コンテンツ情報に対する動作状態を、前記コンテンツ情報を格納している前記携帯端末に出力する出力制御工程と、
前記コンテンツ情報に対する動作状態を前記携帯端末毎に表示手段に表示する表示制御工程と、
を有することを特徴とする制御方法。
【請求項７】
携帯端末と車載機との間の接続を中継する中継機で行う制御方法であって、
前記携帯端末と前記車載機との間の接続を制御する接続制御工程と、
前記接続制御工程により前記車載機と接続した前記携帯端末に格納されているコンテンツ情報に対する動作状態を前記携帯端末に対応する表示手段に表示する表示制御工程と、
を有することを特徴とする制御方法。
【請求項８】
車載機と接続している携帯端末を管理するデータベースを有する車載機に実行させるプログラムであって、
前記データベースで管理している前記携帯端末に格納されているコンテンツ情報を制御するコンテンツ制御処理と、
前記コンテンツ制御処理により制御した前記コンテンツ情報に対する動作状態を前記携帯端末に対応付けて前記データベースで管理するデータ管理処理と、
前記コンテンツ情報に対する動作状態を、前記コンテンツ情報を格納している前記携帯端末に出力する出力制御処理と、
前記コンテンツ情報に対する動作状態を前記携帯端末毎に表示手段に表示する表示制御処理と、
を、前記車載機に実行させることを特徴とするプログラム。
【請求項９】
携帯端末と車載機との間の接続を中継する中継機に実行させるプログラムであって、
前記携帯端末と前記車載機との間の接続を制御する接続制御処理と、
前記接続制御処理により前記車載機と接続した前記携帯端末に格納されているコンテンツ情報に対する動作状態を前記携帯端末に対応する表示手段に表示する表示制御処理と、
を、前記中継機に実行させることを特徴とするプログラム。
【発明の詳細な説明】
【技術分野】
【０００１】
本発明は、携帯端末に格納されている音楽や映像などのコンテンツ情報をユーザに提供する技術に関する。
【背景技術】
【０００２】
近年、複数の携帯端末を車載機に接続し、各携帯端末に格納されている音楽や映像などのコンテンツ情報をスピーカやディスプレイなどの出力先から出力し、車内の各ユーザにコンテンツ情報を提供することができるシステムがある。また、車内の各ユーザに提供するコンテンツ情報を車内の座席毎（例えば、フロント席側、リア席側など）に各々割り当てることができるシステムがある。
【０００３】
しかし、上述した従来のシステムでは、各携帯端末に格納されているコンテンツ情報に対する動作状態（例えば、車内にコンテンツ情報を提供している携帯端末の情報、コンテンツ情報を出力しているスピーカやディスプレイなどの出力先の情報など）を車内のユーザに把握させることができない。
【０００４】
このため、車内のユーザは、車内の他のユーザに現在提供されているコンテンツ情報に興味があったとしても、そのコンテンツ情報が車内のどの携帯端末から提供されているのかを把握することができない。また、車内の各ユーザに現在提供されているコンテンツ情報を自分の携帯端末に格納しているユーザであっても、各携帯端末に格納されているコンテンツ情報が各々の携帯端末同士で類似している場合もあるため、自分の携帯端末に格納されているコンテンツ情報が車内の各ユーザに現在提供されているか確信が持てず、車内の各ユーザに次に提供されるコンテンツ情報を予測し難い。また、仮に自分の携帯端末に格納されているコンテンツ情報が車内の各ユーザに提供されていると仮定しても、そのコンテンツ情報の出力先を把握することができない。
【０００５】
このようなことから、各携帯端末に格納されているコンテンツ情報に対する動作状態を車内のユーザに把握させることが可能なシステムの開発が必要視されることになる。
【０００６】
なお、本発明より先に出願された技術文献として、携帯オーディオ機器の表示部を利用して、ユーザに対して有用な情報を提供する技術について開示された文献がある（例えば、特許文献１：特開2008-146755号公報）。
【０００７】
上記特許文献１では、車載用オーディオ装置100が携帯オーディオ機器200から読み取った楽曲情報データを基に、携帯オーディオ機器200で表示可能な形式の送出用画像データを生成し、その生成した送出用画像データを携帯オーディオ機器200に送出する。携帯オーディオ機器200は、車載用オーディオ装置100から送出された送出用画像データを表示部210に表示する。これにより、携帯オーディオ機器200の表示部210を利用して、ユーザに対して有用な情報を提供することを可能にしている。
【先行技術文献】
【特許文献】
【０００８】
【特許文献１】特開２００８−１４６７５５号公報
【発明の概要】
【発明が解決しようとする課題】
【０００９】
しかし、上記特許文献１の発明は、車載用オーディオ装置100と携帯オーディオ機器200
とが１対１の関係であることを前提としている。このため、上記特許文献１の発明は、車載用オーディオ装置100に複数の携帯オーディオ機器200を接続し、各携帯オーディオ機器200に格納されているコンテンツ情報に対する動作状態を車載用オーディオ装置100や携帯オーディオ機器200に出力し、各携帯オーディオ機器200に格納されているコンテンツ情報に対する動作状態を車内のユーザに把握させる点についてまでは考慮していない。
【００１０】
本発明は、上記事情に鑑みてなされたものであり、各携帯端末に格納されているコンテンツ情報に対する動作状態を車内のユーザに把握させることが可能な車載機、中継機、情報提供システム、制御方法及びプログラムを提供することを目的とする。
【課題を解決するための手段】
【００１１】
かかる目的を達成するために、本発明は、以下の特徴を有することとする。
【００１２】
＜車載機＞
本発明にかかる車載機は、
車載機と接続している携帯端末を管理するデータベースと、
前記データベースで管理している前記携帯端末に格納されているコンテンツ情報を制御するコンテンツ制御手段と、
前記コンテンツ制御手段が制御した前記コンテンツ情報に対する動作状態を前記携帯端末に対応付けて前記データベースで管理するデータ管理手段と、
前記コンテンツ情報に対する動作状態を、前記コンテンツ情報を格納している前記携帯端末に出力する出力制御手段と、
前記コンテンツ情報に対する動作状態を前記携帯端末毎に表示手段に表示する表示制御手段と、
を備えることを特徴とする。
【００１３】
＜中継機＞
本発明にかかる中継機は、
携帯端末と車載機との接続を中継する中継機であって、
前記携帯端末と前記車載機との間の接続を制御する接続制御手段と、
前記接続制御手段により前記車載機と接続した前記携帯端末に格納されているコンテンツ情報に対する動作状態を前記携帯端末に対応する表示手段に表示する表示制御手段と、
を備えることを特徴とする。
【００１４】
＜情報提供システム＞
本発明にかかる情報提供システムは、
車載機と、携帯端末と、を少なくとも有して構成する情報提供システムであって、
前記車載機は、
前記車載機と接続している携帯端末を管理するデータベースと、
前記データベースで管理している前記携帯端末に格納されているコンテンツ情報を制御するコンテンツ制御手段と、
前記コンテンツ制御手段が制御した前記コンテンツ情報に対する動作状態を前記携帯端末に対応付けて前記データベースで管理するデータ管理手段と、
前記コンテンツ情報に対する動作状態を、前記コンテンツ情報を格納している前記携帯端末に出力する出力制御手段と、
前記コンテンツ情報に対する動作状態を前記携帯端末毎に表示手段に表示する表示制御手段と、
を備え、
前記携帯端末は、
前記コンテンツ情報に対する動作状態を表示する表示手段を備えることを特徴とする。
【００１５】
＜制御方法＞
本発明にかかる制御方法は、
車載機と接続している携帯端末を管理するデータベースを有する車載機で行う制御方法であって、
前記データベースで管理している前記携帯端末に格納されているコンテンツ情報を制御するコンテンツ制御工程と、
前記コンテンツ制御工程により制御した前記コンテンツ情報に対する動作状態を前記携帯端末に対応付けて前記データベースで管理するデータ管理工程と、
前記コンテンツ情報に対する動作状態を、前記コンテンツ情報を格納している前記携帯端末に出力する出力制御工程と、
前記コンテンツ情報に対する動作状態を前記携帯端末毎に表示手段に表示する表示制御工程と、
を有することを特徴とする。
【００１６】
本発明にかかる制御方法は、
携帯端末と車載機との間の接続を中継する中継機で行う制御方法であって、
前記携帯端末と前記車載機との間の接続を制御する接続制御工程と、
前記接続制御工程により前記車載機と接続した前記携帯端末に格納されているコンテンツ情報に対する動作状態を前記携帯端末に対応する表示手段に表示する表示制御工程と、
を有することを特徴とする。
【００１７】
＜プログラム＞
本発明にかかるプログラムは、
車載機と接続している携帯端末を管理するデータベースを有する車載機に実行させるプログラムであって、
前記データベースで管理している前記携帯端末に格納されているコンテンツ情報を制御するコンテンツ制御処理と、
前記コンテンツ制御処理により制御した前記コンテンツ情報に対する動作状態を前記携帯端末に対応付けて前記データベースで管理するデータ管理処理と、
前記コンテンツ情報に対する動作状態を、前記コンテンツ情報を格納している前記携帯端末に出力する出力制御処理と、
前記コンテンツ情報に対する動作状態を前記携帯端末毎に表示手段に表示する表示制御処理と、
を、前記車載機に実行させることを特徴とする。
【００１８】
本発明にかかるプログラムは、
携帯端末と車載機との間の接続を中継する中継機に実行させるプログラムであって、
前記携帯端末と前記車載機との間の接続を制御する接続制御処理と、
前記接続制御処理により前記車載機と接続した前記携帯端末に格納されているコンテンツ情報に対する動作状態を前記携帯端末に対応する表示手段に表示する表示制御処理と、
を、前記中継機に実行させることを特徴とする。
【発明の効果】
【００１９】
本発明によれば、各携帯端末に格納されているコンテンツ情報に対する動作状態を車内のユーザに把握させることができる。
【図面の簡単な説明】
【００２０】
【図１】本実施形態の情報提供システムのシステム構成例を示す図である。
【図２】第１の車載機10-1のデータベース100の構成例を示す図である。
【図３】第１の車載機10-1の構成例を示す図である。
【図４】本実施形態の情報提供システムの処理動作例を示す図である。
【図５】第３の携帯端末30-3の表示部31の表示例を示す図である。
【図６】第４の携帯端末30-4の表示部31の表示例を示す図である。
【図７】第１の車載機10-1の表示部12の表示例を示す図である。
【図８】第２の車載機10-2の表示部12の表示例を示す図である。
【図９】中継機20の構成例を示す第１の図である。
【図１０】中継機20の構成例を示す第２の図である。
【発明を実施するための形態】
【００２１】
＜本実施形態の情報提供システムの概要＞
まず、図１、図３を参照しながら、本実施形態の情報提供システムの概要について説明する。
【００２２】
本実施形態の情報提供システムは、車載機10-1と、携帯端末30-1〜30-8と、を少なくとも有して構成する。
【００２３】
本実施形態の車載機10-1は、図３に示すように、車載機10-1と接続している携帯端末30-1〜30-8を管理するデータベース100と、そのデータベース100で管理している携帯端末30-1〜30-8に格納されているコンテンツ情報を制御するコンテンツ制御部112と、コンテンツ制御部112が制御したコンテンツ情報に対する動作状態を携帯端末30-1〜30-8に対応付けてデータベース100で管理するデータ管理部111と、コンテンツ情報に対する動作状態を、そのコンテンツ情報を格納している携帯端末30-1〜30-8に出力する出力制御部113と、コンテンツ情報に対する動作状態を携帯端末30-1〜30-8毎に表示部12に表示する表示制御部114と、を有して構成する。
【００２４】
これにより、本実施形態の情報提供システムは、各携帯端末30-1〜30-8に格納されているコンテンツ情報に対する動作状態を車内のユーザに把握させることができる。以下、添付図面を参照しながら、本実施形態の情報提供システムについて詳細に説明する。
【００２５】
（第１の実施形態）
＜情報提供システムのシステム構成例＞
まず、図１を参照しながら、本実施形態の情報提供システムのシステム構成例について説明する。図１は、本実施形態の情報提供システムのシステム構成例を示す図である。
【００２６】
本実施形態の情報提供システムは、第１、第２の車載機10-1,10-2と、中継機20と、携帯端末30-1〜30-8と、スピーカ40-1〜40-6と、を有して構成する。第１の車載機10-1は、フロント席200付近に設置され、第２の車載機10-2は、ミドル席201付近に設置され、中継機20は、リア席202付近に設置される。
【００２７】
第１、第２の車載機10-1,10-2は、携帯端末30-1〜30-8に格納されている音楽や映像などのコンテンツ情報を制御する機器である。本実施形態では、第１の車載機10-1は、フロント席200付近に位置する第１、第２の携帯端末30-1,30-2と直接接続し、第２の車載機10-2は、ミドル席201付近に位置する第３〜第５の携帯端末30-3〜30-5と直接接続する。但し、第１、第２の車載機10-1,10-2と携帯端末30-1〜30-5との接続方法は特に限定せず、有線、無線を問わず公知の接続方法が適用可能である。
【００２８】
本実施形態では、第１の車載機10-1が車内の携帯端末30-1〜30-8を集中管理する。そして、第１、第２の車載機10-1,10-2は、第１の車載機10-1で集中管理している携帯端末30-1〜30-8に格納されているコンテンツ情報を制御し、第１、第２の車載機10-1,10-2やスピ
ーカ40-1〜40-6からコンテンツ情報を出力する。なお、第１、第２の車載機10-1,10-2は、携帯端末30-1〜30-8に格納されているコンテンツ情報を、必要に応じて第１、第２の車載機10-1,10-2やスピーカ40-1〜40-6から出力可能な形式に変換し、該変換したコンテンツ情報を第１、第２の車載機10-1,10-2やスピーカ40-1〜40-6から出力することも可能である。
【００２９】
中継機20は、リア席202付近に位置する第６〜第８の携帯端末30-6〜30-8と直接接続し、第６〜第８の携帯端末30-6〜30-8を第１、第２の車載機10-1,10-2に接続するための公知の機器である。なお、中継機20と携帯端末30-6〜30-8との接続方法は特に限定せず、有線、無線を問わず公知の接続方法が適用可能である。
【００３０】
携帯端末30-1〜30-8は、携帯電話機、PDA（Personal Digital Assistant）、i Pod（登録商標）、携帯型ゲーム機器などのユーザが携帯して使用する公知の機器である。本実施形態の携帯端末30-1〜30-8は、音楽や映像などのコンテンツ情報を格納しているものとする。
【００３１】
スピーカ40-1〜40-6は、音楽などのコンテンツ情報を出力する公知の機器である。
【００３２】
本実施形態の第１の車載機10-1は、図１に示すように、フロント席200付近に位置する第１、第２の携帯端末30-1,30-2と直接接続するため、第１、第２の携帯端末30-1,30-2の接続情報を直接取得することができる。また、ミドル席201付近に位置する第３〜第５の携帯端末30-3〜30-5と第２の車載機10-2を介して接続するため、第３〜第５の携帯端末30-3〜30-5の接続情報を第２の車載機10-2を介して取得することができる。また、リア席202付近に位置する第６〜第８の携帯端末30-6〜30-8と中継機20を介して接続するため、第６〜第８の携帯端末30-6〜30-8の接続情報を中継機20を介して取得することができる。これにより、第１の車載機10-1は、第１、第２の車載機10-1,10-2や中継機20に接続される各携帯端末30-1〜30-8の接続情報を取得し、車内の各携帯端末30-1〜30-8の『接続情報（接続、未接続）』を図２に示すデータベース100で管理することができる。また、第１、第２の車載機10-1,10-2は、第１の車載機10-1で管理する図２に示すデータベース100の情報を基に、第１の車載機10-1と接続状態の携帯端末に格納されているコンテンツ情報を制御し、第１、第２の車載機10-1,10-2やスピーカ40-1〜40-6からコンテンツ情報を出力する。この時、第１の車載機10-1は、第１、第２の車載機10-1,10-2において制御している携帯端末に格納されているコンテンツ情報に対する動作状態を図２に示すデータベース100で管理する。データベース100で管理する動作状態としては、図２に示すように、第１、第２の車載機10-1,10-2において制御している携帯端末に格納されている『コンテンツ情報』、そのコンテンツ情報の『動作情報』、そのコンテンツ情報の『出力先情報』、そのコンテンツ情報の『制御権』などの情報が挙げられる。
【００３３】
＜データベース100の構成例＞
次に、図２を参照しながら、車内の各携帯端末30-1〜30-8に格納されているコンテンツ情報に対する動作状態を管理するデータベース100の構成例について説明する。
【００３４】
第１の車載機10-1は、図２に示すデータベース100を有して構成し、車内の各携帯端末30-1〜30-8を集中管理する。図２に示すデータベース100は、接続位置情報、端末情報、接続情報、表示能力、制御能力、コンテンツ情報、動作情報、出力先情報、制御権を携帯端末毎に管理している。
【００３５】
接続位置情報は、携帯端末が接続する接続位置を特定する情報である。本実施形態では、第１の車載機10-1,第２の車載機10-2,中継機20が接続位置情報になる。
【００３６】
端末情報は、携帯端末を特定する識別情報である。本実施形態では、第１〜第８の携帯端末30-1〜30-8のIDが端末情報になる。
【００３７】
接続情報は、携帯端末の接続状態を特定する情報である。本実施形態では、接続情報が接続の場合は、携帯端末が第１の車載機10-1と接続状態であることを意味し、未接続の場合は、携帯端末が第１の車載機10-1と未接続状態であることを意味する。
【００３８】
表示能力は、携帯端末の表示部上に各種情報を表示できるか否かを特定する情報である。本実施形態では、表示能力が無の場合は、第１の車載機10-1から出力された各種情報を表示部上に表示することができないことを意味し、表示能力が有の場合は、第１の車載機10-1から出力された各種情報を表示部上に表示することができることを意味する。
【００３９】
制御能力は、第１、第２の車載機10-1,10-2が制御するコンテンツ情報を携帯端末自身で制御することができるか否かを特定する情報である。本実施形態では、制御能力が無の場合は、第１、第２の車載機10-1,10-2が制御するコンテンツ情報を携帯端末自身で制御することができないことを意味し、制御能力が有の場合は、第１、第２の車載機10-1,10-2が制御するコンテンツ情報を携帯端末自身で制御することができることを意味する。
【００４０】
コンテンツ情報は、第１の車載機10-1や第２の車載機10-2で制御している携帯端末に格納されているコンテンツ情報を特定する情報である。本実施形態では、コンテンツ情報が音楽の場合は、音楽名、アーティスト名、ジャンル、再生時間などの情報が挙げられる。また、コンテンツ情報が映像の場合は、映像タイトル、出演者、ジャンル、再生時間などの情報が挙げられる。
【００４１】
動作情報は、コンテンツ情報の動作状態を特定する情報である。本実施形態では、Pause状態の場合は、コンテンツ情報の出力を停止している状態を意味し、Play状態の場合は、コンテンツ情報の出力を行っている状態を意味する。
【００４２】
出力先情報は、コンテンツ情報の出力先を特定する情報である。本実施形態では、第１の車載機10-1,第２の車載機10-2,スピーカ40-1〜40-6が出力先情報になる。
【００４３】
制御権は、コンテンツ情報を制御する機器を特定する情報である。本実施形態では、第１の車載機10-1,第２の車載機10-2が制御権となる。
【００４４】
＜第１の車載機10-1の構成例＞
次に、図３を参照しながら、第１の車載機10-1の構成例について説明する。
【００４５】
本実施形態の第１の車載機10-1は、図２に示すデータベース100と、制御部11と、表示部12と、を有して構成する。制御部11は、第１の車載機10-1を制御するものであり、データ管理部111と、コンテンツ制御部112と、出力制御部113と、表示制御部114と、を有して構成する。
【００４６】
データ管理部111は、車内の携帯端末30-1〜30-8を図２に示すデータベース100で集中管理する。
【００４７】
コンテンツ制御部112は、図２に示すデータベース100で管理する情報を基に、第１の車載機10-1と接続状態の携帯端末に格納されているコンテンツ情報を制御し、第１、第２の車載機10-1,10-2やスピーカ40-1〜40-6からコンテンツ情報を出力する。
【００４８】
出力制御部113は、図２に示すデータベース100で管理する動作状態を携帯端末の表示部
に表示するように制御する。例えば、第１の車載機10-1のコンテンツ制御部112や第２の車載機10-2のコンテンツ制御部（図示せず）が図２に示すデータベース100で管理する情報を基に、携帯端末に格納されているコンテンツ情報を制御し、第１、第２の車載機10-1,10-2やスピーカ40-1〜40-6などの出力先からコンテンツ情報を出力した場合に、出力制御部113は、そのコンテンツ情報を格納している携帯端末に対して出力先情報を出力し、携帯端末の表示部に出力先情報を表示するように制御する。
【００４９】
表示制御部114は、図２に示すデータベース100で管理する動作状態を第１の車載機10-1の表示部12に表示したり、第２の車載機10-2の表示部（図示せず）に表示したりするように制御する。例えば、表示制御部114は、第１の車載機10-1と接続状態の携帯端末と、その携帯端末に格納されているコンテンツ情報に対する動作状態（コンテンツ情報、動作情報、出力先情報、制御権などの情報）と、を第１の車載機10-1の表示部12や第２の車載機10-2の表示部（図示せず）に表示するように制御する。
【００５０】
＜第２の車載機10-2の構成例＞
次に、第２の車載機10-2の構成例について説明する。
【００５１】
第２の車載機10-2は、上述した第１の車載機10-1のようにデータベース100を用いて車内の携帯端末30-1〜30-8を集中管理しないため、図３に示す制御部11と、表示部12と、を有して構成し、制御部11は、コンテンツ制御部112を有して構成する。コンテンツ制御部112は、第１の車載機10-1と同様な制御を行い、第１の車載機10-1のデータベース100で管理する情報を基に、第１の車載機10-1と接続状態の携帯端末に格納されているコンテンツ情報を制御し、第１、第２の車載機10-1,10-2やスピーカ40-1〜40-6からコンテンツ情報を出力する。
【００５２】
＜情報提供システムの処理動作例＞
次に、図４を参照しながら、本実施形態の情報提供システムの処理動作例について説明する。図４に示す処理動作例では、第１の携帯端末30-1を第１の車載機10-1に接続し、第３、第４の携帯端末30-3,30-4を第２の車載機10-2に接続し、第７の携帯端末30-7を中継機20に接続した場合を例に説明する。
【００５３】
各ユーザが第１の携帯端末30-1を第１の車載機10-1に接続し（ステップS1）、第３、第４の携帯端末30-3,30-4を第２の車載機10-2に接続し（ステップS2）、第７の携帯端末30-7を中継機20に接続したとする（ステップS3）。この場合、第１の車載機10-1のデータ管理部111は、第１、第３、第４、第７の携帯端末30-1,30-3,30-4,30-7の接続情報を取得し（ステップS1,S4,S5）、図２に示すように、各携帯端末30-1〜30-8の『接続情報（接続、未接続）』をデータベース100で管理する（ステップS6）。これにより、第１の車載機10-1は、第１の車載機10-1と接続状態の携帯端末30-1,30-3,30-4,30-7を把握することができると共に、その接続状態の携帯端末30-1,30-3,30-4,30-7の接続位置情報を把握することができる。
【００５４】
また、第１の車載機10-1のデータ管理部111は、第１の車載機10-1と接続状態の携帯端末30-1,30-3,30-4,30-7から携帯端末の表示能力や制御能力を把握するための情報を取得し、該取得した情報を基に、図２に示すように、第１の車載機10-1と接続状態の携帯端末30-1,30-3,30-4,30-7の『表示能力』や『制御能力』をデータベース100で管理する。
【００５５】
例えば、携帯端末がi Podである場合は、i Podの機種としては、i Pod shuffle, i pod
nano, i Pod classic, i Pod touchなどがある。i Pod shuffleは、表示部や操作部がないため、通常は表示能力や制御能力がないことになる。また、i pod nano, i Pod classic, i Pod touchは、表示部や操作部があるため、通常は表示能力や制御能力があることに
なる。このため、第１の車載機10-1のデータ管理部111は、携帯端末の機種情報などを取得することで、携帯端末の表示能力や制御能力を把握することができる。なお、携帯端末の表示能力や制御能力を把握することが可能であれば、あらゆる方法が適用可能であり、例えば、第１の車載機10-1のデータ管理部111が携帯端末に対して表示能力の有無や制御能力の有無を問い合わせ、携帯端末の表示能力や制御能力を把握することも可能である。これにより、第１の車載機10-1は、第１の車載機10-1と接続状態の携帯端末30-1,30-3,30-4,30-7の表示能力や制御能力を把握することができる。
【００５６】
本実施形態の第１の車載機10-1は、図２に示すデータベース100で管理している情報を基に、第１の車載機10-1と接続状態の携帯端末30-1,30-3,30-4,30-7を把握することができる。このため、第１の車載機10-1のコンテンツ制御部112は、図２に示すデータベース100で管理している情報を基に、第１の車載機10-1と接続状態の携帯端末30-1,30-3,30-4,30-7に格納されているコンテンツ情報を制御し、第１、第２の車載機10-1,10-2やスピーカ40-1〜40-6からコンテンツ情報を出力することができる。
【００５７】
また、第２の車載機10-2も第１の車載機10-1と同様に、第１の車載機10-1のデータベース100で管理している情報を基に、第１の車載機10-1と接続状態の携帯端末30-1,30-3,30-4,30-7を把握することができる。このため、第２の車載機10-2のコンテンツ制御部112も第１の車載機10-1と同様に、第１の車載機10-1のデータベース100で管理している情報を基に、第１の車載機10-1と接続状態の携帯端末30-1,30-3,30-4,30-7に格納されているコンテンツ情報を制御し、第１、第２の車載機10-1,10-2やスピーカ40-1〜40-6からコンテンツ情報を出力することができる。
【００５８】
なお、携帯端末が第１の車載機10-1と接続状態になると、携帯端末に格納されているコンテンツ情報の制御権が、第１の車載機10-１または第２の車載機10-2側に付与され、第１の車載機10-1や第２の車載機10-2は、携帯端末に格納されているコンテンツ情報の制御権を確保することになる。これにより、第１の車載機10-1のデータ管理部111は、第１の車載機10-1と接続状態の携帯端末30-1,30-3,30-4,30-7に格納されているコンテンツ情報の制御権をデータベース100で管理することができる。なお、コンテンツ情報の制御権を確保する方法は特に限定せず、第１の車載機10-1や第２の車載機10-2がコンテンツ情報の制御権を確保することが可能であれば、あらゆる方法が適用可能である。
【００５９】
本実施形態では、図２に示すように、第１の車載機10-1は、第３の携帯端末30-3に格納されているコンテンツ情報の制御権を確保し、第２の車載機10-2は、第１、第４、第７の携帯端末30-1,30-4,30-7に格納されているコンテンツ情報の制御権を確保したものとする。この場合、第１の車載機10-1のコンテンツ制御部112は、第３の携帯端末30-3に格納されているコンテンツ情報を制御し、第１、第２の車載機10-1,10-2やスピーカ40-1〜40-6からコンテンツ情報を出力することができる。また、第２の車載機10-2のコンテンツ制御部112は、第１、第４、第７の携帯端末30-1,30-4,30-7に格納されているコンテンツ情報を制御し、第１、第２の車載機10-1,10-2やスピーカ40-1〜40-6からコンテンツ情報を出力することができる。
【００６０】
本実施形態では、第１の車載機10-1のコンテンツ制御部112は、第１の車載機10-1のデータベース100で管理している情報を基に、第３の携帯端末30-3に格納されているコンテンツ情報を制御し、第５、第６のスピーカ40-5,40-6からコンテンツ情報を出力しているものとする（ステップS7）。また、第２の車載機10-2のコンテンツ制御部112は、第１の車載機10-1のデータベース100で管理している情報を基に、第４の携帯端末30-4に格納されているコンテンツ情報を制御し、第１の車載機10-1からコンテンツ情報を出力しているものとする（ステップS8）。この場合、第１の車載機10-1のデータ管理部111は、第１の車載機10-1や第２の車載機10-2で制御している携帯端末に格納されているコンテンツ情報
に対する動作状態をデータベース100で管理する（ステップS9）。具体的には、図２に示すように、第１の車載機10-1や第２の車載機10-2で制御している携帯端末に格納されている『コンテンツ情報』、そのコンテンツ情報の『動作情報』、そのコンテンツ情報の『出力先情報』などの情報をデータベース100で管理する。これにより、第１の車載機10-1は、第１の車載機10-1や第２の車載機10-2で制御しているコンテンツ情報に対する動作状態（コンテンツ情報、動作情報、出力先情報など）を把握することができる。
【００６１】
なお、第１の車載機10-1のコンテンツ制御部112が第１の車載機10-1のデータベース100で管理している情報を基に、第３の携帯端末30-3に格納されているコンテンツBを第５、第６のスピーカ40-5、40-6から出力するように制御した場合は（ステップS7）、第１の車載機10-1のデータ管理部111は、図２に示すように、第３の携帯端末30-3に格納されている『コンテンツ情報』であるコンテンツBの情報、そのコンテンツBの『動作情報』であるPlay状態、そのコンテンツBの『出力先情報』である第５、第６のスピーカ40-5,40-6の情報などをデータベース100で管理することになる（ステップS9）。そして、第１の車載機10-1の出力制御部113は、第３の携帯端末30-3に対して『出力先情報』である第５、第６のスピーカ40-5,40-6の情報を送信し、図５に示すように、第３の携帯端末30-3の表示部31に『出力先情報』である第５、第６のスピーカ40-5,40-6の情報を表示する（ステップS10）。これにより、第３の携帯端末30-3を所有するユーザは、第３の携帯端末30-3に格納されているコンテンツBが、第５、第６のスピーカ40-5,40-6から出力していることを把握することができる。
【００６２】
また、第２の車載機10-2のコンテンツ制御部112が第１の車載機10-1のデータベース100で管理している情報を基に、第４の携帯端末40-4に格納されているコンテンツCを第１の車載機10-1から出力するように制御した場合は（ステップS8）、第１の車載機10-1のデータ管理部111は、図２に示すように、第４の携帯端末30-4に格納されている『コンテンツ情報』であるコンテンツCの情報、そのコンテンツCの『動作情報』であるPlay状態、そのコンテンツCの『出力先情報』である第１の車載機10-1の情報などをデータベース100で管理することになる（ステップS9）。そして、第１の車載機10-1の出力制御部113は、第４の携帯端末30-4に対して『出力先情報』である第１の車載機10-1の情報を送信し、図６に示すように、第４の携帯端末30-4の表示部31に『出力先情報』である第１の車載機10-1の情報を表示する（ステップS11）。これにより、第４の携帯端末30-4を所有するユーザは、第４の携帯端末40-4に格納されているコンテンツCが、第１の車載機10-1から出力していることを把握することができる。なお、図５、図６に示す表示形式は、一例であり、図５、図６に示す表示形式に限定するものではない。
【００６３】
また、第１の車載機10-1の表示制御部114は、図２に示すデータベース100で管理している情報を基に、図７に示すように、第１の車載機10-1と接続状態の携帯端末と、その携帯端末に格納されているコンテンツ情報の第１の車載機10-1における動作状態（Pause状態、Play状態、出力状態、制御可能状態）と、を第１の車載機10-1の表示部12に表示する（ステップS12）。
【００６４】
第１の車載機10-1と接続状態の携帯端末は、『未接続状態』以外の携帯端末であり、その携帯端末に格納されているコンテンツ情報の第１の車載機10-1における動作状態は、『Pause状態』、『Play状態』、『出力状態』、『制御可能状態』で特定する。『Pause状態』は、携帯端末に格納されているコンテンツ情報が停止している状態であり、『Play状態』は、携帯端末に格納されているコンテンツ情報が再生している状態であり、『出力状態』は、携帯端末に格納されているコンテンツ情報が第１の車載機10-1から出力している状態であり、『制御可能状態』は、携帯端末に格納されているコンテンツ情報の制御権を第１の車載機10-1が確保している状態を示している。
【００６５】
図７に示す表示状態では、第１、第７の携帯端末30-1,30-7は、第１の車載機10-1と接続状態であり、コンテンツ情報はPause状態であることを意味する。また、第２、第５、第６、第８の携帯端末30-2,30-5,30-6,30-8は、第１の車載機10-1と未接続状態であることを意味する。また、第３の携帯端末30-3は、第１の車載機10-1と接続状態であり、コンテンツ情報はPlay状態であり、コンテンツ情報の制御権を第１の車載機10-1が確保している状態であることを意味する。また、第４の携帯端末30-4は、第１の車載機10-1と接続状態であり、コンテンツ情報はPlay状態であり、コンテンツ情報は第１の車載機10-1から出力している状態であることを意味する。
【００６６】
これにより、車内のユーザは、第１の車載機10-1の表示部12に表示されたコンテンツ情報に対する動作状態を閲覧することで、第１の車載機10-1と接続状態の携帯端末と、その携帯端末に格納されているコンテンツ情報の第１の車載機10-1における動作状態と、を把握することができる。
【００６７】
また、第１の車載機10-1の表示制御部114は、図２に示すデータベース100で管理している情報を基に、図８に示すように、第１の車載機10-1と接続状態の携帯端末と、その携帯端末に格納されているコンテンツ情報の第２の車載機10-2における動作状態（Pause状態、Play状態、出力状態、制御可能状態）と、を第２の車載機10-2の表示部12に表示する（ステップS13）。
【００６８】
第１の車載機10-1と接続状態の携帯端末は、『未接続状態』以外の携帯端末であり、その携帯端末に格納されているコンテンツ情報の第２の車載機10-2における動作状態は、『Pause状態』、『Play状態』、『出力状態』、『制御可能状態』で特定する。『Pause状態』は、携帯端末に格納されているコンテンツ情報が停止している状態であり、『Play状態』は、携帯端末に格納されているコンテンツ情報が再生している状態であり、『出力状態』は、携帯端末に格納されているコンテンツ情報が第２の車載機10-2から出力している状態であり、『制御可能状態』は、携帯端末に格納されているコンテンツ情報の制御権を第２の車載機10-2が確保している状態を示している。
【００６９】
図８に示す表示状態では、第１、第７の携帯端末30-1,30-7は、第１の車載機10-1と接続状態であり、コンテンツ情報はPause状態であり、コンテンツ情報の制御権を第２の車載機10-2が確保している状態であることを意味する。また、第２、第５、第６、第８の携帯端末30-2,30-5,30-6,30-8は、第１の車載機10-1と未接続状態であることを意味する。また、第３の携帯端末30-3は、第１の車載機10-1と接続状態であり、コンテンツ情報はPlay状態であることを意味する。また、第４の携帯端末30-4は、第１の車載機10-1と接続状態であり、コンテンツ情報はPlay状態であり、コンテンツ情報の制御権を第２の車載機10-2が確保している状態であることを意味する。
【００７０】
これにより、車内のユーザは、第２の車載機10-2の表示部12に表示されたコンテンツ情報に対する動作状態を閲覧することで、第１の車載機10-1と接続状態の携帯端末と、その携帯端末に格納されているコンテンツ情報の第２の車載機10-2における動作状態と、を把握することができる。なお、図７、図８に示す表示形式は、一例であり、コンテンツ情報に対する動作状態を携帯端末30-1〜30-8毎にユーザに視覚的に認識できる表示形式であれば、あらゆる表示形式で表示部12に表示することが可能である。
【００７１】
＜本実施形態の情報提供システムの作用・効果＞
このように、第１の車載機10-1のデータ管理部111は、第１、第２の車載機10-1,10-2及び中継機20に接続している携帯端末を図２に示すデータベース100で集中管理する。そして、第１、第２の車載機10-1,10-2のコンテンツ制御部112が図２に示すデータベース100で管理する情報を基に、携帯端末に格納されているコンテンツ情報を制御し、第１、第２
の車載機10-1,10-2やスピーカ60-1〜60-6などの出力先からコンテンツ情報を出力し、車内の各ユーザにコンテンツ情報を提供した場合に、第１の車載機10-1の出力制御部113は、そのコンテンツ情報を格納している携帯端末の表示部に、図５、図６に示すような出力先の情報を表示するように制御する。これにより、車内のユーザに提供されたコンテンツ情報を格納する携帯端末を所有するユーザは、車内のユーザに提供されたコンテンツ情報が、どの出力先から出力されているのかを容易に把握することができる。
【００７２】
また、第１の車載機10-1の表示制御部114は、図２に示すデータベース100で管理している情報を基に、第１の車載機10-1と接続状態の携帯端末と、その携帯端末に格納されているコンテンツ情報の第１の車載機10-1や第２の車載機10-2における動作状態（Pause状態、Play状態、出力状態、制御可能状態）と、を第１の車載機10-1や第２の車載機10-2の表示部12に表示する。これにより、車内の各ユーザは、第１の車載機10-1と接続状態の携帯端末と、その携帯端末に格納されているコンテンツ情報の第１の車載機10-1や第２の車載機10-2における動作状態と、を把握することができるため、コンテンツ情報及び携帯端末の所有者の動作予測を容易に行うことができる。
【００７３】
（第２の実施形態）
次に、第２の実施形態について説明する。
【００７４】
第１の実施形態では、第１の車載機10-1は、携帯端末に格納されているコンテンツ情報が出力先から出力された場合に、そのコンテンツ情報を格納している携帯端末の表示部に、図５、図６に示すような出力先の情報を表示することにした。
【００７５】
しかし、表示能力の無い携帯端末も存在する。この場合は、図５、図６に示すような出力先の情報を携帯端末の表示部に表示することができない。この場合は、第１の車載機10-1や第２の車載機10-2の表示部12に表示されている情報をユーザが見ることで、コンテンツ情報に対する動作状態を把握することができる。しかし、中継機20に接続されている携帯端末30-6〜30-8のユーザは、第１の車載機10-1や第２の車載機10-2の表示部12の情報を見づらい場所に居る。
【００７６】
このため、本実施形態では、図９に示すように、中継機20にLED22を設け、第１の車載機10-1は、中継機20と接続している携帯端末30-6〜30-8に格納されているコンテンツ情報に対する動作状態をLED22の表示状態で通知するように制御する。LED22の表示状態としては、携帯端末が未接続状態の場合は、LED22を無点灯状態にし、携帯端末が接続状態の場合は、LED22を点灯状態にし、接続状態の携帯端末に格納されているコンテンツ情報がPlay状態であれば、LED22の点灯を点滅状態にしたりする。これにより、中継機20と接続した携帯端末30-6〜30-8の各ユーザは、中継機20のLED22の表示状態を視認することで、携帯端末30-6〜30-8に格納されているコンテンツ情報に対する動作状態を把握することができる。なお、LED22の表示状態の方法は上記の態様に限定せず、様々な態様でLED22の表示状態を変更し、携帯端末30-6〜30-8に格納されているコンテンツ情報に対する動作状態をユーザに把握させるように設計することは可能である。例えば、LED22の点灯状態を変更するのではなく、LED22の点灯色を変更するように設計することも可能である。以下、本実施形態の中継機20の構成例について詳細に説明する。
【００７７】
＜中継機20の構成例＞
まず、図９、図１０を参照しながら、本実施形態の中継機20の構成例について説明する。
【００７８】
本実施形態の中継機20は、図９に示すように、制御部21と、LED22と、接続部23と、を有して構成する。制御部21は、中継機20を制御するものであり、接続制御部211と、表示
制御部212と、を有して構成する。
【００７９】
接続制御部211は、接続部23に接続した携帯端末30-6〜30-8を制御するものであり、表示制御部212は、LED22の表示状態を制御する。
【００８０】
接続部23は、携帯端末30-6〜30-8と接続するインタフェースであり、図１０に示すように、３つの接続部23-1〜23-3を有して構成し、各携帯端末30-6〜30-8と１対１で接続する。例えば、第１の実施形態のように中継機20に第７の携帯端末30-7を接続する場合は、接続部23-2に第７の携帯端末30-7を接続する。この場合、接続制御部211は、接続部23-2に接続された携帯端末30-7を制御し、第１の車載機10-1と携帯端末30-7との間の接続を制御する。
【００８１】
LED22は、接続部23に接続した携帯端末30-6〜30-8に格納されているコンテンツ情報に対する動作状態を通知するものであり、図１０に示すように、３つのLED22-1〜22-3を有して構成し、各LED22-1〜22-3の表示状態を表示制御部212が制御し、各携帯端末30-6〜30-8に格納されているコンテンツ情報に対する動作状態を通知する。例えば、接続部23-2に第７の携帯端末30-7を接続した場合は、表示制御部212は、LED22-2を点灯状態にする。また、第７の携帯端末30-7に格納されているコンテンツ情報をPlay状態にした場合は、表示制御部212は、LED22-2を点滅状態にしたりする。これにより、中継機20と接続した携帯端末30-7のユーザは、中継機20のLED22-2の表示状態を視認することで、携帯端末30-7に格納されているコンテンツ情報に対する動作状態を把握することができる。
【００８２】
＜本実施形態の情報提供システムの作用・効果＞
このように、本実施形態の中継機20は、第１の車載機10-1と接続している携帯端末30-6〜30-8に格納されているコンテンツ情報に対する動作状態を携帯端末30-6〜30-8毎に出力する。これにより、中継機20と接続した携帯端末30-6〜30-8の各ユーザは、コンテンツ情報に対する動作状態を携帯端末30-6〜30-8毎に視認することで、各携帯端末30-6〜30-8に格納されているコンテンツ情報に対する動作状態を把握することができる。
【００８３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８４】
例えば、上述する実施形態では、各携帯端末に格納されているコンテンツ情報の制御権を第１の車載機10-1または第２の車載機10-2の一方に与えることにした。しかし、コンテンツ情報の制御権を第１の車載機10-1と第２の車載機10-2の両方に与えるようにすることも可能である。
【００８５】
また、上述する実施形態では、第１の車載機10-1が車内の携帯端末30-1〜30-8を集中管理することにした。しかし、第２の車載機10-2が車内の携帯端末30-1〜30-8を集中管理したり、両方の車載機10-1,10-2が車内の携帯端末30-1〜30-8を集中管理したりするように構築することも可能である。
【００８６】
また、上述した本実施形態における情報提供システムを構成する各装置における制御動作は、ハードウェア、または、ソフトウェア、あるいは、両者の複合構成を用いて実行することも可能である。
【００８７】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ
にプログラムをインストールして実行させることが可能である。
【００８８】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００８９】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００９０】
また、本実施形態における情報提供システムは、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【００９１】
１０−１    第１の車載機
１０−２    第２の車載機
２０    中継機
３０−１〜３０−８    携帯端末
４０−１〜４０−６    スピーカ
１００    データベース
１１    制御部
１１１    データ管理部
１１２    コンテンツ制御部
１１３    出力制御部
１１４    表示制御部
１２    表示部
２１    制御部
２１１    接続制御部
２１２    表示制御部
２２    LED
２３    接続部
３１    表示部
【図１】
2012065141.tif 000003
【図２】
2012065141.tif 000004
【図３】
2012065141.tif 000005
【図４】
2012065141.tif 000006
【図５】
2012065141.tif 000007
【図６】
2012065141.tif 000008
【図７】
2012065141.tif 000009
【図８】
2012065141.tif 000010
【図９】
2012065141.tif 000011
【図１０】
2012065141.tif 000012